(57)【要約】【課題】ハンドルレバーの重量に応じてばね力の調整が行なえるとともに、ばね力が劣化してきた場合でもばね力の調整が行なえるようにする。【解決手段】スィング式扉２６の回動枢支側とは反対側の端面側に内蔵される錠装置であって、建物の出入り口の縦枠３１に形成されたラッチ係止孔３１ａに係脱するラッチ１２を支持するスライドブロック８をコイルばね９によりラッチ飛び出し方向に付勢し、スライドブロック８をコイルばね９の付勢力に抗して移動させる回転ブロック５にハンドルレバーを結合させるように構成し、前記コイルばね９をスライドブロック８との間で挟む座金２１と、この座金２１を移動させるダイヤル１５を設けて、このダイヤル１５の回転により座金２１とスライドブロック８との間の間隔を変化させてコイルばね９のばね力の調整を行なうように構成した。【選択図】　　　　図４
2004137767.tif 000002
【特許請求の範囲】
【請求項１】
スィング式扉の回動枢支側とは反対側の端面側に内蔵される錠装置であって、建物の出入り口の縦枠に形成されたラッチ係止孔に係脱するラッチを支持するスライドブロックをコイルばねによりラッチ飛び出し方向に付勢し、スライドブロックをコイルばねの付勢力に抗して移動させる回転ブロックにハンドルレバーを結合させるように構成し、前記コイルばねをスライドブロックとの間で挟む座金と、この座金を移動させるダイヤルを設けて、このダイヤルの回転により座金とスライドブロックとの間の間隔を変化させてコイルばねのばね力の調整を行なうように構成したことを特徴とするスィング式扉の錠装置。
【発明の詳細な説明】
【０００１】
【発明の属する技術分野】
本発明はスィング式扉の錠装置に関するものである。
【０００２】
【従来の技術】
従来からスィング式扉において、出入口の内側および外側から扉を開閉するために扉の両面に回動式のハンドルレバーが設けられる。
【０００３】
その一例として、例えば実用新案登録第２６０５００８号公報に開示されているように、扉の両面に位置するハンドルレバーはケース内に設けられたばねによりほぼ水平に持ち上げられた状態を保持し、扉の開くときにハンドルレバーを前記ばねの力に抗して下向きに回動させてラッチを扉枠の受け座から出退させるように構成されたものが知られている。
【０００４】
つまり、前記ケース内に設けられたばねはハンドルレバーの重量を支える力を備えているものの、長期の使用においてハンドルレバーを多数回にわたり回動させるとばね力が劣化し、特に重いハンドルレバーを使用するとばねがハンドルレバーをほぼ水平に支えるだけの力がなくなり、ハンドルレバーが垂れ気味になるという問題があった。
【０００５】
【特許文献１】
実用新案登録第２６０５００８号公報
【０００６】
【発明が解決しようとする課題】
本発明はこのような課題を解決するもので、ハンドルレバーの重量に応じてばね力の調整が行なえるとともに、ばね力が劣化してきた場合でもばね力の調整が行なえるようにすることを目的とする。
【０００７】
【課題を解決するための手段】
この課題を解決するために本発明は、スィング式扉の回動枢支側とは反対側の端面側に内蔵される錠装置であって、建物の出入り口の縦枠に形成されたラッチ係止孔に係脱するラッチを支持するスライドブロックをコイルばねによりラッチ飛び出し方向に付勢し、スライドブロックをコイルばねの付勢力に抗して移動させる回転ブロックにハンドルレバーを結合させるように構成し、前記コイルばねをスライドブロックとの間で挟む座金と、この座金を移動させるダイヤルを設けて、このダイヤルの回転により座金とスライドブロックとの間の間隔を変化させてコイルばねのばね力の調整を行なうように構成したことを要旨とするものである。
【０００８】
この構成により、扉の両面に位置する２つのハンドルレバーの重量をコイルばねで支える構成の錠装置において、ハンドルレバーが比較的軽い場合はばね力調整用のダイヤルを回してコイルばねに対する圧縮力を弱く、またハンドルレバーが比較的重い場合はばね力調整用のダイヤルを回してコイルばねに対する圧縮力を強くして、コイルばねのばね力を調整することができる。また、長期の繰り返し使用によりコイルばねのばね力が弱くなってきたときもダイヤルを回してコイルばねのばね力を調整することができる。
【０００９】
【発明の実施の形態】
以下、本発明の一実施の形態について、図面に基づいて説明する。
図１〜図６において、１は後述する扉の回動枢支側とは反対側の端面側に内蔵される錠装置のケースで、このケース１の内部には上端部においてハンドルレバー２の角軸３に係合する角孔４を中心に備えたハンドルレバー用の回転ブロック５と、この回転ブロック５の角孔４の上側に突設された係合凸部６に下側の係合凹部７が係合して回転ブロック５の回転によりスライドするように回転ブロック５の上側に位置する内部が空洞のスライドブロック８と、このスライドブロック８をケース１の前面板１ａ側に付勢すべくケース１の後面板１ｂ側とスライドブロック８との間に介在されたコイルばね９と、前記スライドブロック８の前端内部から後端部がスライド可能に嵌入して抜け止め支持されたシャフト１０と、このシャフト１０の前端部に取り付けられケース１の前面板１ａの開口部１ａ’および前面板１ａの表面に重なる化粧板１１の開口部１１ａから出没自在なラッチ１２と、前記シャフト１０の後端部とスライドブロック８の後端内面との間に介在され前記コイルばね９のばね力よりも弱いばね力のコイルばね１３と、前記スライドブロック８の移動を所定位置で止めるとともに前記シャフト１０の移動を案内するガイド用ブロック１４と、前記スライドブロック８をケース１の前面板１ａ側に付勢するコイルばね９の力を調整すべくケース１の後面板１ｂの内面に近接して設けられたばね力調整用のダイヤル１５と、ケース１の下端部においてガイド用ブロック１６に沿って移動し前端部がケース１の前面板１ａの開口部１ａ”および化粧板１１の開口部１１ｂから出没自在なサムターン１７と、このサムターン１７を操作すべく角孔１８を備え先端がサムターン１７の凹部１７ａに嵌入するサムターン用の回転ブロック１９と、この回転ブロック１９をクリック操作すべく先端がサムターン１７の凹部１７ａに位置して回転ブロック１９の先端に当接する板ばね２０とが設けられている。
【００１０】
さらに詳しくは、前記ばね力調整用のダイヤル１５にはねじ軸１５ａが一体に設けられ、このねじ軸１５ａに螺合する雌ねじ孔２１ａを有してダイヤル１５の回転により移動する座金２１でコイルばね９の端部を受けてコイルばね９のばね力の調整を行なうようになっている。２２は前記座金２１の移動を案内するガイド板である。ところで、前記ケース１は偏平で、起立する左右の両側板２３には前記ダイヤル１５の一部が露出するように開口部２３ａが形成され、また前記スライドブロック８の左右の両側面からそれぞれ突出する２つのピン８ａが嵌り込む水平方向に向くガイド孔２３ｂが形成され、また前記回転ブロック５の角孔４の形成部において左右に突出する外形が円形の突部５ａが嵌入する丸孔２３ｃが形成され、また前記回転ブロック１９の角孔１８の形成部において左右に突出する外形が円形の突部１９ａが嵌入する丸孔２３ｄが形成され、さらに前記丸孔２３ｃおよび丸孔２３ｄの両側において後述するハンドルレバーのベースプレートから裏側に突出する連結軸を貫通させる孔部２３ｅおよび２３ｆが形成されている。
【００１１】
次に、前記ハンドルレバー２はベースプレート２５に対し所定角度（４５度程度）の範囲内で回転可能に結合されるとともにベースプレート２５に内蔵したばねにより復帰するように構成されている。ハンドルレバー２はスィング式扉２６の両面に設けられ、扉２６に内蔵された上記構成の錠装置と組み合わされる。詳しくは、前記錠装置の回転ブロック５の角孔４に角軸３が挿通され、扉２６の両面から突出する角軸３の両端に扉２６の両面でハンドルレバー２の角孔２ａを外嵌させ、且つ各ハンドルレバー２のベースプレート２５，２５間を繋ぐ２本の連結軸２８，２８を扉２６および前記孔部２３ｅ，２３ｆに挿通させている。つまり、連結軸２８，２８を扉２６および前記孔部２３ｅ，２３ｆに挿通させることにより、ハンドルレバー２を回転させてもベースプレート２５の回転は止められることになる。なお、前記連結軸２８は一方のベースプレート２５の裏側にねじ止めされ内面に雌ねじ孔２９ａが形成されている筒状の軸体２９と、他方のベースプレート２５の孔２５ａに挿通されて前記軸体２９の雌ねじ孔２９ａに螺入するように外面に雄ねじ部３０ａが形成されている軸体３０とから構成されている。このように扉２６の両面で角軸３に取り付けたハンドルレバー２の操作により前記コイルばね９の付勢力に抗して回転ブロック５およびスライドブロック８が動作し、その結果ラッチ１２が扉２６の回動枢支側とは反対側の端面に位置するように設けられた化粧板１１の開口部１１ａに没入して建物の出入り口の縦枠３１に形成されたラッチ係止孔３１ａから外れ、扉２６を開閉できるようになる。
【００１２】
さらに、前記サムターン用の回転ブロック１９の角孔１８には角軸３２が挿通され、扉２６の両面から突出する角軸３２の一端に扉２６の内面側でつまみ３３を結合させるとともに、扉２６の外面側で角軸３２の他端に孔付きシリンダー錠３４を結合させ、扉２６の内面側でつまみ３３の操作により回転ブロック１９を介してサムターン１７を動作させ、扉２６の外面側でシリンダー錠３４の孔にキーを差し込んで操作することにより回転ブロック１９を介してサムターン１７を動作させるようになっている。なお、このような操作により、サムターン１７の前端部は建物の出入り口の縦枠３１に形成されたサムターン係止孔３１ｂから外れ、扉２６のロックを解除できるようになる。
【００１３】
本実施の形態のスィング式扉の錠装置は上記のような機能を備えるものであるが、２つのハンドルレバー２の重量を回転ブロック５およびスライドブロック８を介してコイルばね９で支える構成となっており、ハンドルレバー２が比較的軽い場合は前記ばね力調整用のダイヤル１５を回して座金２１とスライドブロック８との間の間隔を広げてコイルばね９に対する圧縮力を弱くしておけば良く、またハンドルレバー２が比較的重い場合は前記ばね力調整用のダイヤル１５を回して座金２１とスライドブロック８との間の間隔を縮めてコイルばね９に対する圧縮力を強くしておけば良い。これにより、スライドブロック８をラッチ飛び出し方向に付勢するコイルばね９のばね力を調整することができる。また、長期の繰り返し使用によりコイルばね９のばね力が弱くなってきたときもダイヤル１５を回してコイルばね９のばね力を調整することができる。
【００１４】
ところで、以上述べた実施の形態では錠装置のケース１の内部にサムターン１７を設けているが、サムターン１７は必ずしも備えていなくても良い。
【００１５】
【発明の効果】
以上のように本発明によれば、扉の両面に位置する２つのハンドルレバーの重量をコイルばねで支える構成の錠装置において、ハンドルレバーが比較的軽い場合はばね力調整用のダイヤルを回してコイルばねに対する圧縮力を弱く、またハンドルレバーが比較的重い場合はばね力調整用のダイヤルを回してコイルばねに対する圧縮力を強くして、コイルばねのばね力を調整することができる。また、長期の繰り返し使用によりコイルばねのばね力が弱くなってきたときもダイヤルを回してコイルばねのばね力を調整することができる。
【図面の簡単な説明】
【図１】本発明の一実施の形態におけるスィング式扉の錠装置の斜視図である。
【図２】同錠装置の縦断面図である。
【図３】同錠装置のばね力調整用のダイヤルによりコイルばねのばね力を強めた状態を示す縦断面図である。
【図４】同錠装置のラッチおよびサムターンが出入り口の縦枠に形成された係止孔に係止した状態を示す縦断面図である。
【図５】同錠装置が内蔵された扉を内側から見た要部拡大斜視図である。
【図６】同錠装置が内蔵された扉を外側から見た要部拡大斜視図である。
【符号の説明】
１　　　　ケース
１ａ　　　前面板
１ａ’　　開口部
１ｂ　　　後面板
２　　　　ハンドルレバー
３　　　　角軸
４　　　　角孔
５　　　　回転ブロック
６　　　　係合凸部
７　　　　係合凹部
８　　　　スライドブロック
９　　　　コイルばね
１０　　　　シャフト
１１　　　　化粧板
１１ａ　　　開口部
１２　　　　ラッチ
１３　　　　コイルばね
１４　　　　ガイド用ブロック
１５　　　　ダイヤル
１５ａ　　　ねじ軸
２１ａ　　　雌ねじ孔
２１　　　　座金
２３　　　　側板
２３ａ　　　開口部
２５　　　　ベースプレート
２６　　　　扉
３１　　　　縦枠
３１ａ　　　ラッチ係止孔
【図１】
2004137767.tif 000003
【図２】
2004137767.tif 000004
【図３】
2004137767.tif 000005
【図４】
2004137767.tif 000006
【図５】
2004137767.tif 000007
【図６】
2004137767.tif 000008